(57)【要約】【課題】施工が容易で、しかも、必要最小限の配管スペースで済むため、浴室やシャワー室を最大限に有効利用することができるとともに、設置位置も自由に選択できるシャワータワーを提供する。【解決手段】室内壁に沿って、あるいは、室内に立設されるベース部材と、断面略コ字形あるいは断面略Ｕ字形に形成され、ベース部材によってコ字あるいはＵ字の開口部が閉じられるように組み合わされて、ベース部材との間に給水・給湯配管の配管スペースを形成するカバー部材とを備え、ベース部材は、カバー部材の取付面にベース部材の長手方向に平行な２条の嵌合凹溝または嵌合突条が形成され、カバー部材は、ベース部材の取付面方向への押圧によってベース部材の嵌合凹溝または嵌合突条に嵌合してカバー部材をベース部材の所望位置への固定状態とする嵌合突条または嵌合凹溝が、カバー部材の開口部近傍の両側壁面に沿って形成されている。【選択図】      図２
2006322147.tif 000002
【特許請求の範囲】
【請求項１】
室内壁に沿って、あるいは、室内に立設されるベース部材と、
断面略コ字形あるいは断面略Ｕ字形に形成され、ベース部材によってコ字あるいはＵ字の開口部が閉じられるように組み合わされて、ベース部材との間にシャワー配管の配管スペースを形成するカバー部材とを備え、
前記ベース部材は、前記カバー部材の取付面にベース部材の長手方向に平行な２条の嵌合凹溝または嵌合突条が形成され、
前記カバー部材は、ベース部材の前記取付面方向への押圧によってベース部材の嵌合凹溝または嵌合突条に嵌合してカバー部材をベース部材の所望位置への固定状態とする嵌合突条または嵌合凹溝が、カバー部材の開口部近傍の両側壁面に沿って形成されていることを特徴とするシャワータワー。
【発明の詳細な説明】
【技術分野】
【０００１】
本発明は、浴室やシャワー室内に設けられ、シャワーノズルへの給水・給湯配管を浴室やシャワー室内側から隠蔽するように設けられるシャワータワーに関する。
【背景技術】
【０００２】
従来のシャワータワーは、図８に示すように、浴室やシャワー室の壁面１００のコーナー部に固定したボルト受け金具２００に固定ボルト２１０の一端を固定した状態で、タワー本体部材３００を固定ボルト２１０の先端部がねじ挿通孔から外部に臨むように配置したのち、タワー本体部材３００の両端縁が壁面１００に圧接されるまで蝶ナット２２０を固定ボルト２１０の先端部にねじ込み、その後、蝶ナット部分が隠れるようにカバー４００を取り付けることによって浴室あるいはシャワー室の壁面に沿って給水・給湯配管の配管スペースを形成するようになっている。
【０００３】
しかし、上記のシャワータワーの場合、固定ボルト２１０の取り付け、蝶ナット２２０のねじ込み、カバー４００の取り付けなど、作業が煩雑で施工性が悪い。また、中央にボルトが通っているために、配管の通路に制約があり、配管スペースを大きく取る必要がある。したがって、浴室やシャワー室内が狭くなるという問題がある。
また、昨今は、浴室内でいろいろな入浴スタイルが要求され、シャワータワーもその要求に応じていろいろな位置に設置する必要があるが、上記シャワータワーの場合、浴室やシャワー室のコーナー部にしか設置することができない。
【０００４】
【特許文献１】特開平７−３０４号公報
【発明の開示】
【発明が解決しようとする課題】
【０００５】
本発明は、上記事情に鑑みて、施工が容易で、しかも、必要最小限の配管スペースで済むため、浴室やシャワー室を最大限に有効利用することができるとともに、設置位置も自由に選択できるシャワータワーを提供することを目的としている。
【課題を解決するための手段】
【０００６】
上記目的を達成するために、本発明にかかるシャワータワーは、室内壁に沿って、あるいは、室内に立設されるベース部材と、断面略コ字形あるいは断面略Ｕ字形に形成され、ベース部材によってコ字あるいはＵ字の開口部が閉じられるように組み合わされて、ベース部材との間に給水・給湯配管の配管スペースを形成するカバー部材とを備え、前記ベース部材は、前記カバー部材の取付面にベース部材の長手方向に平行な２条の嵌合凹溝または嵌合突条が形成され、前記カバー部材は、ベース部材の前記取付面方向への押圧によってベース部材の嵌合凹溝または嵌合突条に嵌合してカバー部材をベース部材の所望位置への固定状態とする嵌合突条または嵌合凹溝が、カバー部材の開口部近傍の両側壁面に沿って形成されていることを特徴としている。
【発明の効果】
【０００７】
本発明にかかるシャワータワーは、以上のように、室内壁に沿って、あるいは、室内にベース部材を立設し、このベース部材方向にカバー部材を押圧するだけで、ベース部材に設けられた嵌合凹溝または嵌合突条にカバー部材に設けられた嵌合突条または嵌合凹溝に嵌合し、カバー部材がベース部材に固定され、ベース部材とカバー部材との間に給水・給湯配管の配管スペースを形成することができる。したがって、シャワータワーの取付作業が容易である。
【０００８】
しかも、ベース部材を室内壁に沿って、あるいは、室内に立設できるので、シャワータワーの設置場所を自由に選ぶことができる。
また、カバー部材の嵌合突条または嵌合凹溝がカバー部材の開口部近傍の両側壁面に沿って形成されているので、ベース部材とカバー部材との間に形成される空間内に障害となるものがない。したがって、シャワータワーの設置スペースも必要最小限のコンパクトなものにでき、浴室やシャワー室内空間を有効に利用することができる。
【発明を実施するための最良の形態】
【０００９】
以下に、本発明を、その実施の形態をあらわす図面を参照しつつ詳しく説明する。
図１〜図３は、本発明にかかるシャワータワーの第１の実施の形態をあらわしている。
【００１０】
図１〜図３に示すように、このシャワータワーＡは、ベース部材１ａと、上部カバー部材２ａと、下部カバー部材２ｂとを備え、シャワー室３aに設置されている。
すなわち、ベース部材１ａは、シャワー室３aの洗い場床面３１から天井面３２までの高さと略同じ長さをしたアルミニウムの押出成形品であって、幅方向中央に、断面略コ字形の樋状をした本体部１１が設けられている。この本体部１１は、その側壁１１ａの高さが後述するスタッド３４のシャワー室壁面方向の厚みと略同じになっているとともに、本体部１１の両側壁１１ａから外側にそれぞれ鍔部１１ｂが張り出している。
【００１１】
この鍔部１１ｂの先端には、後述するスタッドへの嵌合部１１ｃが本体部１１の溝の底側に向かって延出している。嵌合部１１ｃは先端が本体部１１方向に鉤状に折れ曲がっている。
鍔部１１ｂの中間部には、嵌合凹溝１１ｅを備えた延出片１１ｄが本体部１１とは逆方向に突設されている。
【００１２】
上部カバー部材２ａは、平板状をした表面部２１と、この表面部２１の両側縁から対面するように延出する２つの側面部２２とを有する断面略コ字形をしたアルミニウムの押出成形品である部材本体２０と、ステンレス鋼製の化粧板２６とを備えている。
部材本体２０は、表面部２１の両端縁に沿って外壁面に略コ字形をしたスライド嵌合溝２３が形成されている。化粧板２６は、その両端縁がパッキン２５を介在させた状態でスライド嵌合溝２３にスライド嵌合されている。
【００１３】
また、上部カバー部材２ａの開口部近傍の両側面部２２内側には、各側壁部２２に沿って嵌合突条２７ａを備えた延出片２７が設けられている。
上部カバー部材２ａの表面部２１および化粧板２６の後述する給水・給湯配管Ｐの水栓５を臨む部分には、水栓５の一部である操作軸５１が挿通可能な孔２８が穿設されている。
【００１４】
下部カバー部材２ｂは、上部カバー部材２ａと同じ断面形状をしていて、上部カバー部材２ａと床面３１との間でベース部材１ａに固定されるようになっている。
【００１５】
つぎに、このシャワータワーＡの組立方法を詳しく説明する。
まず、シャワー室３aの壁面パネル３３を支える２本のスタッド３４を本体部１１の幅分の間隔を開けて防水パン６の所定位置に立設させ、ベース部材１ａの両側の嵌合部１１ｃを、間にパッキン３６を介在させた状態で隣接する樹脂被覆鋼板製の壁パネル３３の嵌合部３３ａとともに、スタッド３４の嵌合溝３４ａ内に嵌合させ、ベース部材１ａを立設状態にする。
【００１６】
続いて、給水・給湯配管Ｐをベース部材１ａに沿って配管し、固定金具２９によって給水・給湯配管Ｐをベース部材１ａに固定する。
そして、図２に示すように、上部カバー部材２ａを表面部２１および化粧板２６に穿設された孔２８に所定の水栓５の操作軸５１が臨むように配置し、ベース部材１ａ方向に押圧し、嵌合凹溝１１ｅと嵌合突部２７ａとを嵌合させて上部カバー部材２ａをシャワー室床面３１との間に図３に示すように、下部カバー部材２ｂの固定スペースを残した状態でベース部材１ａに固定する。
【００１７】
下部カバー部材２ｂを上部カバー部材２ａと同様にして図１に示すようにベース部材１ａに固定する。
そして、孔２８からシャワー室３a側に突出した操作軸５１に操作ハンドル５２を取り付ける。
【００１８】
また、この実施の形態では、シャワータワーＡ内に配管された給水・給湯配管Ｐは、図１に示すように、ハンドシャワー７2に接続され、ミストノズルカバー７3内を通り、ミストノズル７３aに接続されるとともに、シャワー室３aの天井面に固定されたリングシャワー７４に接続される。
【００１９】
このシャワータワーＡは、以上のように、壁パネル支持用のスタッド３４を用いて壁面にそって立設するようになっているので、ベース部材１ａの設置作業が容易で、シャワータワーの設置場所を自由に選ぶことができる。また、シャワータワーの取付作業が容易である。
しかも、上部カバー部材２ａおよび下部カバー部材２ｂがその嵌合突部２７ａを嵌合凹溝１１ｅに嵌合させるだけでベース部材１ａに固定できるので、組立作業も短時間で容易に行える。
【００２０】
また、シャワータワーＡ内には、固定ボルト等の障害物がないので、シャワータワーＡの設置スペースも必要最小限のコンパクトなものにでき、シャワー室内空間を有効に利用することができる。
さらに、カバー部材が上部カバー部材２ａおよび下部カバー部材２ｂに別れているので、図３に示すように、下部カバー部材２ｂのみをベース部材１ａから取り外して、給水・給湯配管Ｐの点検等を容易に行うことができる。
【００２１】
図４〜図７は、本発明にかかるシャワータワーの第２の実施の形態をあらわしている。
図４および図５に示すように、このシャワータワーＢは、浴室３ｂの洗い場３７と浴槽３８との間に設置され、図５および図６に示すように、ベース部材１ｂと、上記シャワータワーＡと同様の上部カバー部材２ａおよび下部カバー部材２ｂとを備えている。
【００２２】
ベース部材１ｂは、図６に示すように、ベース本体部１２ａと、ベース本体部１２ａの両側縁から対面するように延出する２つの側面部１２ｂとを有する樋状をした部材本体１２と、ステンレス鋼製の化粧板１３とを備えている。
部材本体１２は、アルミニウムの押出成形品であって、ベース本体部１２ａに内側に向かって凸となった２条の固定ねじ受け部１２ｃが設けられるとともに、ベース本体部１２ａの短手方向両端縁に沿って外壁面に略コ字形をしたスライド嵌合溝１２ｄが形成されている。
【００２３】
そして、化粧板１３がその両端縁をスライド嵌合溝１２ｄにスライド嵌合させることによって部材本体１２のベース本体部１２ａの外面を覆っている。
また、ベース本体部１２ａには、図示していないが、後述するミストノズル装着孔とミスト配管の水栓の操作軸が挿通される孔とが穿設されている。
【００２４】
部材本体１２の両側面部１２ｂ内側には、嵌合凹部１４が設けられている。
図６中、９１は、浴槽側と洗い場側を仕切るガラスやアクリル樹脂等の透明ボード、９２は、シャワータワーＢの側面に固定され、透明ボード９１の端部をクランプして透明ボード９２を支持する透明ボード９１の支持金具である。なお、支持金具９２は、図示していないが、浴室の壁側にも設けられている。
【００２５】
つぎに、このシャワータワーＢの組立方法を詳しく説明する。
このシャワータワーＢは、まず、ベース部材１ｂを、浴槽３８の洗い場側の框中央部に添うように配置し、ベース部材１ｂの下端を図示していないが、ボルトによって防水パンに固定し、ベース部材１ｂの状態を天井に固定する。
【００２６】
続いて、給水・給湯配管Ｐをベース部材１ａに沿って配管し、浴槽側のミストノズルをミストノズル装着孔から浴槽側に臨ませるとともに、水栓の操作軸を孔から浴槽側に突出させ、操作軸に浴槽側の操作ハンドルを取り付ける。また、固定金具２９によって給水・給湯配管Ｐをベース部材１ｂに固定する。
そして、上記シャワータワーＡと同様にして、ベース部材１ａに上部カバー部材２ａおよび下部カバー部材２ｂを固定するとともに、上記シャワータワーＡと同様にシャワータワーＢ内に配管された給水・給湯配管Ｐは、図５に示すように、ミストノズルカバー７３内を通り、ミストノズル７３ａに接続されるとともに、浴室３ｂの天井面に固定されたリングシャワー７４に接続される。なお、この実施の形態では、シャワータワーＡにハンドシャワーは接続されていない。
【００２７】
このシャワータワーＢは、上記のシャワータワーＡと同様の作用効果に加えて、上記実施の形態においては、ベース部材１ｂを浴槽３８側に向け、上部カバー部材２ａおよび下部カバー部材２ｂを浴槽洗い場３７側に向けるとともに、ベース部材１ｂ側にもミストノズル（図示せず）を設けるようにしたので、洗い場３７側でシャワーを浴びたり、ミストノズル７３ａからのミストの噴射によって洗い場３７側をミストサウナにしたりするだけでなく、図７に示すように、ベース部材１ｂ側のミストノズルからのミストの噴射によって浴槽３８の框等に使用者Ｍが座った状態でミストサウナを楽しむこともできる。
【００２８】
本発明にかかるシャワータワーは、上記の実施の形態に限定されない。たとえば、上記実施の形態では、リングシャワーとハンドシャワーの２種類が設けられていたが、いずれか一方だけでも構わない。
上記実施の形態では、カバー部材が上下に分割されていたが、上下に分割しなくても構わない。
【００２９】
上記第２の実施の形態では、浴槽側と洗い場側の両側にミストが噴射できるようになっているが、いずれか一方に噴射できるようにしても構わないし、ミスト装置は設けなくても構わない。
【図面の簡単な説明】
【００３０】
【図１】本発明にかかるシャワータワーの第１の実施の形態の使用状態をあらわす斜視図である。
【図２】図１のＸ−Ｘ線断面図である。
【図３】図１のシャワータワーの下部ガバー部材を取り除いた状態の斜視図である。
【図４】本発明にかかるシャワータワーの第２の実施の形態の使用状態をあらわす斜視図である。
【図５】図４のＹ−Ｙ線断面図である。
【図６】図４のＺ−Ｚ線断面図である。
【図７】図４のシャワータワーを用いたシャワー装置の使用状態を模式的に示す図である。
【図８】従来のシャワータワーの断面図である。
【符号の説明】
【００３１】
１ａ，１ｂ  ベース部材
２ａ  上部カバー部材
２ｂ  下部カバー部材
Ｐ  給水・給湯配管
１１ｅ，１４  嵌合凹溝
２７ａ  嵌合突条
Ａ，Ｂ  シャワータワー
【図１】
2006322147.tif 000003
【図２】
2006322147.tif 000004
【図３】
2006322147.tif 000005
【図４】
2006322147.tif 000006
【図５】
2006322147.tif 000007
【図６】
2006322147.tif 000008
【図７】
2006322147.tif 000009
【図８】
2006322147.tif 000010